【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項１】
挿抜可能な情報記憶媒体を接続するためのスロット部を備える情報処理装置であって、
前記情報処理装置に関する情報を格納する格納手段と、
前記スロット部に挿入された前記情報記憶媒体に対して、前記格納手段から読み出した前記情報処理装置に関する情報を記録する記録手段と
を備えることを特徴とする情報処理装置。
【請求項２】
前記情報処理装置に関する情報は、前記情報処理装置を特定する情報、前記情報処理装置に関連する情報を含み、
前記情報処理装置を特定する情報は、前記情報処理装置の製造会社を特定する製造会社番号、前記情報処理装置の機種名を特定する装置番号、前記情報処理装置に割り振られた製造番号、前記製造会社が独自に設定できる拡張番号、またそれらの番号から推測する、あるいはそのままアスキーの情報として表現される装置製造会社名、装置名、装置固有番号を含み、
前記情報処理装置に関連する情報は、前記情報記憶媒体との接続日時、ユーザ名、ＯＳの種別、ＭＡＣアドレス、ＩＰアドレス、メールアドレス、前記情報処理装置の名前、ＬＡＮ（Local Area Network）上のグループ名を含むことを特徴とする請求項１に記載の情報処理装置。
【請求項３】
挿抜可能な情報記憶媒体を接続するためのスロット部を備え、前記スロット部に挿入された当該情報記憶媒体にアクセス可能な情報処理装置であって、
前記スロット部に挿入された情報記憶媒体に対するアクセス種別をチェックするチェック手段と、
当該チェック手段によるチェックの結果、前記アクセス種別がライトアクセスである場合に、当該情報記憶媒体に関する情報、当該アクセスに関する情報を所定の記憶装置に記録する記録手段と
を備えることを特徴とする情報処理装置。
【請求項４】
前記記録手段は更に、前記情報記憶媒体に、前記アクセスに関する情報を記録することを特徴とする請求項３に記載の情報処理装置。
【請求項５】
前記情報記憶媒体に関する情報は、前記情報記憶媒体の製造会社を特定する製造会社番号、前記情報記憶媒体のデバイス名を特定するデバイス番号、前記情報記憶媒体に割り振られた製造番号、さらに前記製造会社が独自に設定できる拡張番号を含むことを特徴とする請求項３に記載の情報処理装置。
【請求項６】
前記アクセスに関する情報は、前記情報記憶媒体が保持するファイル、アプリケーションのどれに、いつアクセスされたかを示す情報、どのアプリケーションをいつ前記情報記憶媒体にインストールしたかを示す情報、どのファイルをいつ作成したかを示す情報を含むことを特徴とする請求項３または４に記載の情報処理装置。
【請求項７】
前記所定の記憶装置は、前記情報処理装置内に固定され、挿抜が不可能な記憶装置であることを特徴とする請求項３に記載の情報処理装置。
【請求項８】
挿抜可能な情報記憶媒体を接続するためのスロット部を備える情報処理装置であって、
前記スロット部に挿入されている情報記憶媒体を排出する排出手段と、
前記排出手段により排出される前記情報記憶媒体に対して排出する前に、前記情報記憶媒体に関する情報、排出する時刻を示す情報を含む排出関連情報を所定の記憶装置に記録する記録手段と
を備えることを特徴とする情報処理装置。
【請求項９】
挿抜可能な情報記憶媒体を接続するためのスロット部を備える情報処理装置であって、
操作者の指示に基づき前記スロット部に挿入されている情報記憶媒体を排出する排出手段と、
前記排出手段により前記情報記憶媒体を排出する際に、前記操作者を特定する情報を所定の記憶手段に記録する記録手段と
を備えることを特徴とする情報処理装置。
【請求項１０】
挿抜可能な情報記憶媒体を接続するためのスロット部を備える情報処理装置が行う情報処理方法であって、
前記情報処理装置に関する情報をメモリに格納する格納工程と、
前記メモリから前記情報処理装置に関する情報を読み出す読出工程と、
前記スロット部に挿入された前記情報記憶媒体に対して、前記読み出した前記情報処理装置に関する情報を記録する記録工程を備えることを特徴とする情報処理方法。
【請求項１１】
挿抜可能な情報記憶媒体を接続するためのスロット部を備え、前記スロット部に挿入された当該情報記憶媒体にアクセス可能な情報処理装置が行う情報処理方法であって、
前記スロット部に挿入された情報記憶媒体に対するアクセス種別をチェックするチェック工程と、
当該チェック工程でのチェックの結果、前記アクセス種別がライトアクセスである場合に、当該情報記憶媒体に関する情報、当該アクセスに関する情報を所定の記憶装置に記録する記録工程と
を備えることを特徴とする情報処理方法。
【請求項１２】
前記記録工程では更に、前記情報記憶媒体に、前記アクセスに関する情報を記録することを特徴とする請求項１１に記載の情報処理方法。
【請求項１３】
挿抜可能な情報記憶媒体を接続するためのスロット部を備える情報処理装置が行う情報処理方法であって、
操作者の操作に基づき、前記スロット部に挿入されている前記情報記憶媒体の排出を指示する指示工程と、
前記情報記憶媒体を排出する前に、前記情報記憶媒体に関する情報、排出する時刻を示す情報を含む排出関連情報を所定の記憶手段に記録する記録工程と、
前記記録工程による記録が終了した後に、前記スロット部に挿入されている情報記憶媒体を排出する排出工程と
を備えることを特徴とする情報処理方法。
【請求項１４】
挿抜可能な情報記憶媒体を接続するためのスロット部を備える情報処理装置が行う情報処理方法であって、
操作者の操作に基づき、前記スロット部に挿入されている前記情報記憶媒体の排出を指示する指示工程と、
前記情報記憶媒体を排出する前に、前記操作者を特定する情報を所定の記憶手段に記録する記録工程と、
前記記録工程による記録が終了した後に、前記スロット部に挿入されている情報記憶媒体を排出する排出工程と
を備えることを特徴とする情報処理方法。
【請求項１５】
コンピュータを請求項１乃至９のいずれか１項に記載の情報処理装置として機能させる為のプログラム。
【請求項１６】
コンピュータに請求項１０乃至１４のいずれか１項に記載の情報処理方法を実行させるためのプログラム。
【請求項１７】
請求項１５または１６に記載のプログラムを格納したことを特徴とするコンピュータ読み取り可能な記憶媒体。
【手続補正２】
【補正対象書類名】明細書
【補正対象項目名】００１５
【補正方法】変更
【補正の内容】
【００１５】
すなわち、挿抜可能な情報記憶媒体を接続するためのスロット部を備える情報処理装置であって、
前記情報処理装置に関する情報を格納する格納手段と、
前記スロット部に挿入された前記情報記憶媒体に対して、前記格納手段から読み出した前記情報処理装置に関する情報を記録する記録手段と
を備えることを特徴とする。
【手続補正３】
【補正対象書類名】明細書
【補正対象項目名】００１７
【補正方法】変更
【補正の内容】
【００１７】
すなわち、挿抜可能な情報記憶媒体を接続するためのスロット部を備え、前記スロット部に挿入された当該情報記憶媒体にアクセス可能な情報処理装置であって、
前記スロット部に挿入された情報記憶媒体に対するアクセス種別をチェックするチェック手段と、
当該チェック手段によるチェックの結果、前記アクセス種別がライトアクセスである場合に、当該情報記憶媒体に関する情報、当該アクセスに関する情報を所定の記憶装置に記録する記録手段と
を備えることを特徴とする。
【手続補正４】
【補正対象書類名】明細書
【補正対象項目名】００１８
【補正方法】変更
【補正の内容】
【００１８】
本発明の目的を達成するために、例えば本発明の情報処理装置は以下の構成を備える。
すなわち、挿抜可能な情報記憶媒体を接続するためのスロット部を備える情報処理装置であって、
前記スロット部に挿入されている情報記憶媒体を排出する排出手段と、
前記排出手段により排出される前記情報記憶媒体に対して排出する前に、前記情報記憶媒体に関する情報、排出する時刻を示す情報を含む排出関連情報を所定の記憶装置に記録する記録手段と
を備えることを特徴とする。
【手続補正５】
【補正対象書類名】明細書
【補正対象項目名】００２０
【補正方法】変更
【補正の内容】
【００２０】
すなわち、挿抜可能な情報記憶媒体を接続するためのスロット部を備える情報処理装置であって、
操作者の指示に基づき前記スロット部に挿入されている情報記憶媒体を排出する排出手段と、
前記排出手段により前記情報記憶媒体を排出する際に、前記操作者を特定する情報を所定の記憶手段に記録する記録手段と
を備えることを特徴とする。
【手続補正６】
【補正対象書類名】明細書
【補正対象項目名】００２２
【補正方法】変更
【補正の内容】
【００２２】
すなわち、挿抜可能な情報記憶媒体を接続するためのスロット部を備える情報処理装置が行う情報処理方法であって、
前記情報処理装置に関する情報をメモリに格納する格納工程と、
前記メモリから前記情報処理装置に関する情報を読み出す読出工程と、
前記スロット部に挿入された前記情報記憶媒体に対して、前記読み出した前記情報処理装置に関する情報を記録する記録工程を備えることを特徴とする。
【手続補正７】
【補正対象書類名】明細書
【補正対象項目名】００２４
【補正方法】変更
【補正の内容】
【００２４】
すなわち、挿抜可能な情報記憶媒体を接続するためのスロット部を備え、前記スロット部に挿入された当該情報記憶媒体にアクセス可能な情報処理装置が行う情報処理方法であって、
前記スロット部に挿入された情報記憶媒体に対するアクセス種別をチェックするチェック工程と、
当該チェック工程でのチェックの結果、前記アクセス種別がライトアクセスである場合に、当該情報記憶媒体に関する情報、当該アクセスに関する情報を所定の記憶装置に記録する記録工程と
を備えることを特徴とする。
【手続補正８】
【補正対象書類名】明細書
【補正対象項目名】００２５
【補正方法】変更
【補正の内容】
【００２５】
本発明の目的を達成するために、例えば本発明の情報処理方法は以下の構成を備える。
すなわち、挿抜可能な情報記憶媒体を接続するためのスロット部を備える情報処理装置が行う情報処理方法であって、
操作者の操作に基づき、前記スロット部に挿入されている前記情報記憶媒体の排出を指示する指示工程と、
前記情報記憶媒体を排出する前に、前記情報記憶媒体に関する情報、排出する時刻を示す情報を含む排出関連情報を所定の記憶手段に記録する記録工程と、
前記記録工程による記録が終了した後に、前記スロット部に挿入されている情報記憶媒体を排出する排出工程と
を備えることを特徴とする。
【手続補正９】
【補正対象書類名】明細書
【補正対象項目名】００２７
【補正方法】変更
【補正の内容】
【００２７】
すなわち、挿抜可能な情報記憶媒体を接続するためのスロット部を備える情報処理装置が行う情報処理方法であって、
操作者の操作に基づき、前記スロット部に挿入されている前記情報記憶媒体の排出を指示する指示工程と、
前記情報記憶媒体を排出する前に、前記操作者を特定する情報を所定の記憶手段に記録する記録工程と、
前記記録工程による記録が終了した後に、前記スロット部に挿入されている情報記憶媒体を排出する排出工程と
を備えることを特徴とする。
【手続補正１０】
【補正対象書類名】明細書
【補正対象項目名】００３２
【補正方法】変更
【補正の内容】
【００３２】
ＰＣＩボード１２側には、ＲＡＩＤ制御部１３のほかに、ＰＣＩボード１２全体の制御を行うためのプログラムの実行を行うＣＰＵ１４と、このプログラムを格納するＲＯＭ（Read Only Memory）１５と、ＲＯＭ１５に格納されたプログラムに基づいてＣＰＵ１４が処理するデータを一時的に記憶するワークエリアを備えるＲＡＭ（Random Access Memory）１６と、活線挿抜可能なリムーバブルハードディスクユニット２０の挿入ができ、ＰＣＩボード１２に接続可能なスロットであるリムーバブルハードディスクスロット部１８が用意されている。その他にＰＣＩボード１２に固定され、挿抜の不可能な固定ハードディスク１９が用意されている。また固定ハードディスク１９は、情報処理装置を特定可能な情報、及び関連情報を含む本体装置情報３０のデータを格納する。
【手続補正１１】
【補正対象書類名】明細書
【補正対象項目名】００４０
【補正方法】変更
【補正の内容】
【００４０】
ＣＰＵ１４はこの信号を受けると、挿入が検知されたリムーバブルハードディスクユニット２０をリムーバブルハードディスクスロット１８に安全に挿入、接続するために、スロット制御部２２を介してモータ制御部２３にリムーバブルハードディスクユニット２０を搬送する旨を指示する。指示されたモータ制御部２３は、リムーバブルハードディスクユニット２０を挿入する方向に所定の距離、モータ（モータ制御部２３に含まれる）を駆動させる（ステップＳ２０２）。ここで所定の距離とは、リムーバブルハードディスクユニット２０を挿入した位置からリムーバブルハードディスクユニット２０がリムーバブルハードディスクスロット１８と接続する位置までの距離である。そして所定の距離だけモータを駆動した後、モータ制御部２３はモータの回転を停止させると共に、挿入終了の旨を示す信号をＣＰＵ１４に送信する。
【手続補正１２】
【補正対象書類名】明細書
【補正対象項目名】００５０
【補正方法】変更
【補正の内容】
【００５０】
そして以上の処理が終了した後、もしくは、ステップＳ３０４におけるチェック処理において、ライトアクセス以外であった場合には、処理をステップＳ３０６に進める。ステップＳ３０６では、リムーバブルハードディスクユニット２０へのアクセスの種別に関係なく行われ、リムーバブルハードディスクユニット２０に上記アクセス情報のうち、リムーバブルハードディスクユニット２０を特定する情報以外の情報を記録する（ステップＳ３０６）。なお、リムーバブルハードディスクユニット２０に記録する情報はアクセスされた情報がどのようなものであるかがわかればよいのであって、記憶の仕方は同様でなくても良い。即ちリードアクセスならば、リードアクセスされたファイルそのものをコピーしておく必要はなく、どのファイルか指定できれば良い。また、ライトアクセスにおいても、仮に固定ハードディスク１９にステップＳ３０５にて、その情報そのものがコピーされているならば、その情報を指定できれば良い。
【手続補正１３】
【補正対象書類名】明細書
【補正対象項目名】００５４
【補正方法】変更
【補正の内容】
【００５４】
リムーバブルハードディスクスロット１８に挿入、接続されているリムーバブルハードディスクユニット２０を排出する場合、操作者はマウス２、キーボード１等を用いて、リムーバブルハードディスクユニット２０の排出指示を入力する。入力された排出指示は入力制御部７を介してホストＣＰＵ６に入力される。ホストＣＰＵ６はこの排出指示を検知すると（ステップＳ４０１）、上記操作者がリムーバブルハードディスクユニット２０を排出し、持ち出す権限が与えられているを確認するために、表示制御部８を介してディスプレイ３に図６に示すＧＵＩを表示する（ステップＳ４０２）。